(57)【要約】【課題】秘密情報印刷面の対向する面の少なくとも一方の面に粉体接着剤を迅速に塗布して圧着はがき等の作成を容易にする粉体接着剤塗布装置を提供する。【解決手段】回転軸２１ａは一方の端部に塗布ローラ２２を固設され他方の端部に転写・搬送ローラ２３が固設される。これに対向配置された回転軸２１ｂは一方の端部に転写・搬送ローラ２３が固設され他方の端部に塗布ローラ２２が固設される。塗布ローラ２２が配置される筐体１９の仕切り部には粉体接着剤が収容される。駆動系ギア２８により回転軸２１ａ及び２１ｂが相互に圧接しながら回転する。用紙搬送経路２５に沿って搬入された用紙１４は塗布ローラ２２と転写・搬送ローラ２３に挟持・搬送されながら転写・搬送ローラ２３から印加される転写バイアスにより塗布ローラ２２の粉体接着剤を表面の端部面Ｐ１と裏面の端部面Ｐ６の表裏両面に同時に塗布される。【選択図】      図５
2007190521.tif 000002
【特許請求の範囲】
【請求項１】
秘匿すべき秘密情報を印刷した用紙の前記秘密情報の印刷面に対して対向する面の少なくとも一方の面に粉体接着剤を塗布する粉体接着剤塗布装置において、
前記用紙の搬送経路の用紙搬送方向に直交する方向に直列に並んで配置された複数の接着剤塗布部を備え、
該複数の接着剤塗布部により前記用紙の表裏両面に前記粉体接着剤を同時に塗布する、
ことを特徴とする粉体接着剤塗布装置。
【請求項２】
前記接着剤塗布部は、
前記粉体接着剤を収容する接着剤収容部と、
該接着剤収容部から供給される前記粉体接着剤を周面に吸着して回転搬送する塗布ローラと、
該接着剤塗布ローラに対向し圧接して配置され該接着剤塗布ローラと協働して前記用紙を挟持して搬送すると共に前記粉体接着剤を前記接着剤塗布ローラから前記用紙に転写する転写バイアスを前記用紙に印加する転写・搬送ローラと、
を備えていることを特徴とする請求項１記載の粉体接着剤塗布装置。
【請求項３】
複数の前記接着剤塗布部は、前記接着剤塗布ローラと前記転写・搬送ローラとが対向する相互位置関係が順であるものと逆であるものが混在して配置される、ことを特徴とする請求項１又は２記載の粉体接着剤塗布装置。
【請求項４】
前記相互位置関係が順である前記接着剤塗布部の前記接着剤塗布ローラと前記相互位置関係が逆である前記接着剤塗布部の前記転写・搬送ローラとが１本の回転軸に連結され、
前記相互位置関係が順である前記接着剤塗布部の前記転写・搬送ローラと前記相互位置関係が逆である前記接着剤塗布部の前記接着剤塗布ローラとが１本の回転軸に連結されている、
ことを特徴とする請求項３記載の粉体接着剤塗布装置。
【請求項５】
複数の前記接着剤塗布部は、それぞれ前記接着剤収容部と前記接着剤塗布ローラと前記転写・搬送ローラとを備え、それぞれ独立に本体装置の駆動系により駆動されることを特徴とする請求項２記載の粉体接着剤塗布装置。
【請求項６】
複数の前記接着剤塗布部は、前記接着剤収容部にそれぞれ粉体接着剤残量検知センサを備えると共に、前記接着剤収容部を共通の接着剤搬送機構により連結され、
前記粉体接着剤残量検知センサにより前記粉体接着剤の残量が規定量以下となったことが検知された前記接着剤塗布部の前記接着剤収容部に、前記粉体接着剤の残量が規定量以上の前記接着剤塗布部の前記接着剤収容部から前記接着剤搬送機構により前記粉体接着剤が融通される、ことを特徴とする請求項２記載の粉体接着剤塗布装置。
【請求項７】
前記搬送機構は、搬送パイプと該搬送パイプ内に組み込まれて正逆両方向に回転可能な搬送コイルとから成る、ことを特徴とする請求項６記載の粉体接着剤塗布装置。
【発明の詳細な説明】
【技術分野】
【０００１】
本発明は、秘匿すべき秘密情報を印刷したはがき、封筒、その他の書類の秘密情報印刷面に対して対向する面の少なくとも一方の面に粉体接着剤を塗布して圧着はがき等の作成を容易にする粉体接着剤塗布装置に関する。
【背景技術】
【０００２】
従来、特定の個人のみへ文字情報を伝達するために、一般に、文字記載物を封書の形態にし、開封後に始めて当該個人が文字情報を確認できるようにしていた。
近年、個人情報保護が厳しく問われるようにもなり、各種事業所等では、例えば、個人の各種データ、成績表、給与明細書等の個人情報は、これを文字記載物の内部の印字箇所に記録して、印字箇所の周縁部もしくは文字記載物の全面を接着や圧着により封筒状やカード状にして配布したりしている。
【０００３】
このうち、はがきサイズのカード状のものは圧着はがきと呼ばれており、通常の郵便はがきと同じ料金で利用できることから、情報提供者側の利便性が高い印字（印刷）情報秘匿システムとして、広告宣伝のダイレクトメール等にも汎用されている。
【０００４】
このような圧着はがき等による印字情報秘匿システムを利用するには、従来、専門の製造業者に委託するか、高価な圧着はがき等製造・印刷装置を導入するかして秘匿情報を作成していた。
【０００５】
これらの圧着はがき等製造・印刷装置を用いて秘匿情報を作成するには、接着剤を情報印字の後に塗布する方法や、情報印字の前に塗布する方法等があるが、いずれにしても秘匿情報を大量に作成するという前提が必須であり高価であった。
【０００６】
また、そのような製造業者への委託は、個人情報の流出の問題も潜在的に存在しており好ましい秘匿情報の作成方法とはいえない。
ところで、近年、パソコンやプリンタの発達と相侯って、小規模事業所や個人でも利用できるように、少量単位でも簡易に圧着はがきを作成できるようにしたものも提案されている。
【０００７】
例えば、感圧接着剤を予め塗布した剥離紙付きはがき用紙が販売されている。これは、２つ折り内部の印字面に所定の文字情報等を印字後に、感圧接着剤部分を圧着して投函用の圧着はがきを完成させるものである。
【０００８】
また、例えば、粘着フイルムとはがき用紙を一組にしたものが販売されている。これは、２つ折り内部の印字面に所定の文字情報等を印字後に、２つ折り内部に粘着フイルムを挟むようにして圧着して、投函用の圧着はがきを作成できるようにしたものである。
【０００９】
しかしながら、これでもコスト高は避けられず、取り扱いが煩雑であり、個人的に数枚の圧着はがきを作成するのなら良いが、ある程度の枚数単位で、安価で、迅速に、且つ対需要即応体制で作成できるものではない。
【００１０】
そこで、粘着剤を内包したマイクロカプセルから成るトナー状粘着剤を静電印刷法により基材の表面に転写してフラッシュ定着させ、接着時には圧力によりマイクロカプセルを破壊しカプセル内の粘着剤を浸出させるようにして、圧着はがきを容易に作成できるとする提案がなされている。また、この提案では、粘着剤を溶融、混練、粉砕した粉砕トナーも示唆されている。（例えば、特許文献１参照。）
また、事務用プリンタや複写機の交換用の印字用カートリッジに圧着用物質を入れて、それら事務用プリンタ又は複写機による印字作業と同様の操作で圧着用物質を官製はがきや封筒に塗布し、その後、圧着専用機にかけるようにし、圧着専用機にかけるところまでを１台のプリンタ又は複写機で出来るとする提案がなされている。また、この提案では、二つ折りの片面、三つ折の中央両面に圧着用物質を塗布することが示唆されている。（例えば、特許文献２参照。）
また、感熱接着剤を含むトナーを用い、電子写真方式により画像を対需要即応式で作成する方法が提案されている。この提案では、感熱接着剤の軟化温度は電子写真方式用のトナーの結着樹脂の軟化温度よりも高くなるように構成し、また、感熱接着剤の電子写真方式用トナーに占める割合を５〜６０重量％とし、また、感熱接着剤の組成は熱接着性樹脂、ホットメルト及びワックス類からなる群より選ばれる１種類以上を含むようにすることが提案されている。（例えば、特許文献３参照。）
【特許文献１】特開平０９−１０４８４９号公報（段落０００５、００１４、図１、図３、図６）
【特許文献２】特開２０００−００６５５３号公報（要約、図なし）
【特許文献３】特開２００４−１２６２３１号公報（段落００８５〜００８７、図なし）
【発明の開示】
【発明が解決しようとする課題】
【００１１】
しかしながら、特許文献１の技術は、マイクロカプセル式のトナーについては構成及び組成について記載されてはいるが、粉砕トナーについては単なる思い付き程度に示唆されているのみであり、具体的な組成、製法、及び用法についての記載がなく、これでは、この分野の当業者といえども有用な粉砕トナーを作成することは勿論、試作することさえ出来ない。
【００１２】
また、特許文献２の技術は、圧着専用機にかける前までの官製はがきや封筒による印字情報秘匿書類を作成するものであり、投函用に完成するには圧着専用機にかけなければならない点で利便性と経済性に欠けるものであり、また対需要即応性には程遠いものと言わざるを得ない。
【００１３】
また、特許文献３の技術では、単に感熱接着剤の軟化温度が電子写真方式用のトナーの結着樹脂の軟化温度よりも高く設定されているというのみで、思い付き程度に示唆されてはいるものの感熱接着剤を含むトナーの具体的な材料処方も具体的な用法も開示されていない。また、電子写真方式は静電現像を利用するものであるが、その現実的かつ具体的な構成については開示されてもいない。
【００１４】
また、トナー状の圧着はがき用粉体接着剤は今日まで市場に流通もしていない。流通している圧着はがき用粉体接着剤は液状または粘着シート状のものだけである。
本発明の課題は、上記従来の実情に鑑み、実用性のある粉体接着剤の製造方法を確立したうえで、秘匿すべき秘密情報を印刷したはがき、封筒、その他の書類の秘密情報印刷面に対して対向する面の少なくとも一方の面に粉体接着剤を迅速に塗布して圧着はがき等の作成を容易にする粉体接着剤塗布装置を提供することである。
【課題を解決するための手段】
【００１５】
本発明の粉体接着剤塗布装置は、秘匿すべき秘密情報を印刷した用紙の上記秘密情報の印刷面に対して対向する面の少なくとも一方の面に粉体接着剤を塗布する粉体接着剤塗布装置において、上記用紙の搬送経路の用紙搬送方向に直交する方向に直列に並んで配置された複数の接着剤塗布部を備え、該複数の接着剤塗布部により上記用紙の表裏両面に上記粉体接着剤を同時に塗布するように構成される。
【００１６】
上記接着剤塗布部は、例えば、上記粉体接着剤を収容する接着剤収容部と、該接着剤収容部から供給される上記粉体接着剤を周面に吸着して回転搬送する塗布ローラと、該接着剤塗布ローラに対向し圧接して配置され該接着剤塗布ローラと協働して上記用紙を挟持して搬送すると共に上記粉体接着剤を上記接着剤塗布ローラから上記用紙に転写する転写バイアスを上記用紙に印加する転写・搬送ローラと、を備えて構成される。
【００１７】
この粉体接着剤塗布装置において、例えば、複数の上記接着剤塗布部は、上記接着剤塗布ローラと上記転写・搬送ローラとが対向する相互位置関係が順であるものと逆であるものが混在して配置されるように構成される。
【００１８】
この場合、例えば、上記相互位置関係が順である上記接着剤塗布部の上記接着剤塗布ローラと上記相互位置関係が逆である上記接着剤塗布部の上記転写・搬送ローラとが１本の回転軸に連結され、上記相互位置関係が順である上記接着剤塗布部の上記転写・搬送ローラと上記相互位置関係が逆である上記接着剤塗布部の上記接着剤塗布ローラとが１本の回転軸に連結されているように構成してもよい。
【００１９】
また、この粉体接着剤塗布装置において、例えば、複数の上記接着剤塗布部は、それぞれ上記接着剤収容部と上記接着剤塗布ローラと上記転写・搬送ローラとを備え、それぞれ独立に本体装置の駆動系により駆動されるように構成することも出来る。
【００２０】
更に、この粉体接着剤塗布装置において、例えば、複数の上記接着剤塗布部は、上記接着剤収容部にそれぞれ粉体接着剤残量検知センサを備えると共に、上記接着剤収容部を共通の接着剤搬送機構により連結され、上記粉体接着剤残量検知センサにより上記粉体接着剤の残量が規定量以下となったことが検知された上記接着剤塗布部の上記接着剤収容部に、上記粉体接着剤の残量が規定量以上の上記接着剤塗布部の上記接着剤収容部から上記接着剤搬送機構により上記粉体接着剤が融通されるように構成してもよい。
【００２１】
この場合、上記搬送機構は、例えば、搬送パイプと該搬送パイプ内に組み込まれて正逆両方向に回転可能な搬送コイルとから構成される。
【発明の効果】
【００２２】
本発明によれば、例えばＺ折り圧着はがきのような秘密情報印刷済み用紙の圧着すべき表裏の２面に対して同時に圧着用の接着剤を塗布することが出来るので、圧着はがき等の作成が容易になる。
【発明を実施するための最良の形態】
【００２３】
以下、本発明の実施の形態を図面を参照しながら説明する。
（実施形態１）
最初にトナー状の粉体接着剤の材料処方及び具体的な作製方法について説明する。
【００２４】
尚、この粉体接着剤は、秘匿情報印刷面を圧着後の剥離開封時に、反対面への文字移りが発生しない粉体接着剤として開発されたものである。
先ず、結着樹脂として軟化温度１１０±４℃の炭化水素系樹脂（シクロオレフィンとエチレンの共重合体）９０質量％以上、帯電制御剤０．３〜３質量％、ワックス１〜９質量％を用意する。
【００２５】
これらを、ミキサーにて混合し、その混合物を二軸スクリュー混練機にて温度をかけながら混練し、この混練物を冷却し、機械式粉砕機にて２ｍｍ程度にまで粉砕し、気流式粉砕機にてさらに微粒子にまで粉砕し、適切な粒子径に分級を行う。
【００２６】
その後、この混練粉砕物を、シリコンオイル又はアルキルジシラザンにて表面処理済みのシリカ微粒子０．１〜５質量％（対混練粉砕品）及びアルミナを外添し、軟化温度１０６℃で、平均粒径（体積Ｄ５０）９．０μｍのトナー状の透明な粉体接着剤を得る。
【００２７】
このようにして作成された接着剤は、接着剤塗布装置で用紙に塗布される。この接着剤は粉体接着剤であり、常温では固体である。そして、加熱されることにより溶融され、加圧されることにより接着効果が発揮される。
【００２８】
（実施形態２）
ところで、粉体接着剤の塗布では、塗布面に選択的に塗布する方法もあるが、通常はベタに塗布する方が簡便である。そして、ベタに塗布するとなると、電子写真方式における選択的な画像形成に用いられる感光体ドラムを介さずとも、現像装置の現像ローラを接着剤塗布ローラとして、この接着剤塗布ローラだけで直接用紙に接着剤を塗布しても支障がないと考えられる。
【００２９】
図１(a) は、そのような考えに基づいて構成された実施形態２における粉体接着剤塗布装置を含む圧着はがき作成システムの構成原理図であり、同図(b) 〜(d) は、粉体接着剤の塗布手順を示す図である。尚、同図(c),(d) には、粉体接着剤を転写された状態を示す平面図と後側面図を示している。
【００３０】
また、本例においては、近年ページ数が多いほど秘密の情報量をより多く記載できるということで、Ｚ折りの圧着はがきが広く用いられていることに鑑み、Ｚ折り圧着はがきを例にとって説明する。
【００３１】
また、この圧着はがき作成システムでは、圧着はがき用紙の紙面に予め印字用トナーで可変情報を印字し、その紙面の印字面に重ねて、上述した粉体接着剤が塗布されるものとする。
【００３２】
同図(a) において、圧着はがき作成システムは、右から左へ、給紙装置１、粉体接着剤塗布装置２、折り装置３、圧着装置４、出来上がり圧着はがき収納装置５から成る。
上記の粉体接着剤塗布装置２は、用紙搬送装置６、接着剤塗布部７、定着器８、及び両面印刷反転装置９を備えている。
【００３３】
上記の接着剤塗布部７は粉体接着剤が収容されている粉体接着剤容器１１と、その粉体接着剤容器１１の下端開口部に回転可能に配設された塗布ローラ１２を備えている。また、接着剤塗布部７には、用紙搬送装置６の搬送ベルト１３を介して塗布ローラ１２に対向配置された転写ローラ１０が設けられている。
【００３４】
同図(a) において、先ず、給紙装置１にはＺ折り圧着はがき用の用紙１４が収容される。次に、不図示の給紙コロ等により給紙装置１から用紙１４が一枚ずつ取り出されて粉体接着剤塗布装置２に矢印ａで示すように給送される。
【００３５】
同図(b) は、上記給紙装置１から粉体接着剤塗布装置２に給送される用紙１４を上から見た図である。
粉体接着剤塗布装置２においては、粉体接着剤容器１１の塗布ローラ１２が、その周表面に均一な粉体接着剤層を形成しながら回転している。塗布ローラ１２は、転写ローラ１０と協働して、塗布ローラ１２の直下を通過する用紙１４の表面の一方の端部側の２面Ｐ１及びＰ２に、同図(c) に示すように、粉体接着剤１５を静電的に転写（塗布）する。
【００３６】
ここで、Ｚ折り圧着はがき用の用紙１４の面構成を定義する。同図(c),(d) に示すように、本例において、用紙１４の面は、Ｚ折りする前の表紙の一方の端部頁面を面Ｐ１、中央頁面をＰ２、他方の端部頁面を面Ｐ３、表紙の面Ｐ１の裏面頁面を面Ｐ４、表紙の面Ｐ２の裏面頁面を面Ｐ５、表紙の面Ｐ３の裏面頁面を面Ｐ６とする。
【００３７】
同図(b) のように面Ｐ１及びＰ２に粉体接着剤を転写（塗布）された用紙１４は、同図(a) の矢印ｂで示すように定着器８に向けて搬送される。用紙１４は、定着器８により熱と圧力を加えられて、面Ｐ１及びＰ２に転写された粉体接着剤１５を紙面に溶融定着される。
【００３８】
その後、用紙１４は、矢印ｃ及び矢印ｄ示すように両面印刷反転装置９に向けて搬送される。用紙１４は両面印刷反転装置９により表裏を反転されて前後が入れ替わった状態となり、矢印ｅ、ｆ、ｇで示すように最初の給紙方向に搬送され、反転により裏面を上に向けて再び矢印ａで示すように粉体接着剤塗布装置２に給送される。
【００３９】
粉体接着剤塗布装置２で、同図(d) に示すように、裏面の面Ｐ５及びＰ６に粉体接着剤１５を塗布された用紙１４は、転写された粉体接着剤１５を定着器８により紙面に定着された後、矢印ｈで示すように折り装置３に向けて搬送される。
【００４０】
同図(d) は、用紙１４の裏面の面６に粉体接着剤１５を転写された状態を示す平面図と後側面図を示している。すなわち、同図(d) に示すように、用紙１４表面の面Ｐ１と裏面の面Ｐ６とに粉体接着剤１５が塗布されている。
【００４１】
折り装置３に搬入された用紙１４は、折り装置３によりＺ折りされて、圧着装置４に搬送され、圧着装置４により面Ｐ１と面Ｐ２、及び面Ｐ５と面Ｐ６が圧着されて、投函可能な圧着はがきが完成する。なお、Ｚ折り装置は、一般に知られているＺ折り装置を用いることができる。
【００４２】
図２(a) は、参考のため、上記折り装置３によりＺ折りされた用紙１４の状態を示す図であり、同図(b) は、Ｚ折りされた用紙１４が矢印Ｈで示すように圧着装置４に挿通される状態を示す図である。
【００４３】
上記の図１(c),(d) のように面Ｐ１と面Ｐ２、及び面Ｐ５と面Ｐ６の表裏両面に粉体接着剤１５を塗布されたはがき用紙１４は、図２(a) に示すように、折り装置３によってＺ折りにされる。このとき、はがき用紙１４は、粉体接着剤１５を塗布された接着面同士が重なり合うように折られる。
【００４４】
折り装置３によってＺ折りされた用紙１４は、圧着装置４によって、接着されて１枚のはがきとなる。
なお、上述した実施形態では、用紙１４をＺ折したときに対向する２面に粉体接着剤１５を塗布しているが、粉体接着剤１５を塗布する方法は、これに限るものではない。
【００４５】
図３(a),(b) は、他の塗布方法を示す図であり、同図(c) は、そのＺ折り方法を示す図である。同図(a) に示すように、先ず表面の塗布で、面Ｐ１の１頁分だけに粉体接着剤１５が塗布される。続いて両面印刷反転装置９により表裏を反転された用紙１４は、同図(b) に示すように面Ｐ６の１頁分だけに粉体接着剤１５が塗布される。
【００４６】
そして、折り装置３では、同図(c) に示すように、粉体接着剤１５が塗布された面Ｐ１が粉体接着剤１５が塗布されていない面Ｐ２に矢印ｉで示すように折り込まれ、続いて、粉体接着剤１５が塗布された面Ｐ６が粉体接着剤１５が塗布されていない面Ｐ５に矢印ｊで示すように折り込まれる。
【００４７】
このように粉体接着剤１５を塗布すれば、粉体接着剤１５の塗布量が１／２で済むから経済的である。
（実施形態３）
ところで、上記の実施形態２では、両面印刷反転装置９によって用紙１４の表裏を反転させて、第１面と第２面への粉体接着剤の塗布を行っている。
【００４８】
このように同一の粉体接着剤塗布機により塗布するため、用紙１４の両面に粉体接着剤１５を塗布する時間は、Ｖ折りはがきのように片面のみに粉体接着剤を塗布する時間に比較して、反転搬送の分も含めると２倍以上かかる。
【００４９】
すなわち、最も普及しているＺ折りはがきの場合、Ｖ折りはがきに比べて用紙一枚当りの粉体接着剤の塗布処理が遅くなる。
この問題は、一回の用紙搬送で粉体接着剤を表裏に塗布することができれば解消される。この一回の用紙搬送で粉体接着剤を表裏に塗布する粉体接着剤塗布装置について、第３の実施形態として以下に説明する。
【００５０】
尚、以下に説明する第３の実施形態においては、図３に示したように  粉体接着剤１５を、用紙１４の表裏いずれにおいても、１頁分の面（面Ｐ１と面Ｐ６）のみに塗布するようにしている。
【００５１】
図４は、本例の粉体接着剤塗布装置の側面図である。同図に示すように、本例の粉体接着剤塗布装置１６は、塗布・転写ユニット１７と仮定着ユニット１８を備えている。
塗布・転写ユニット１７は、斜め縦断面がＶ型となる筐体１９の底部近傍に、回転周面を対向して配置された二本の回転軸２１（２１ａ、２１ｂ）を備えている。
【００５２】
一方の回転軸２１ａは、図の奥行き方向手前側に塗布ローラ２２、図の奥行き方向向う側に転写・搬送ローラ（図では陰になって見えない）を固着している。そして、他方の回転軸２１ｂは、図の奥行き方向手前側に転写・搬送ローラ２３、図の奥行き方向向う側に塗布ローラ（図では陰になって見えない）を固着している。
【００５３】
また、仮定着ユニット１８は、１対の発熱・押圧ローラ対２４が対向配置されている。発熱・押圧ローラ対２４は、塗布・転写ユニット１７により粉体接着剤１５を図３(b),(c) に示すと同様の状態に両面同時に塗布されて搬送経路２５を矢印方向に搬送されてくる用紙を挟持・搬送しながら熱と圧力とで粉体接着剤１５を紙面に仮定着する。
【００５４】
図５(a) は、上記塗布・転写ユニット１７を透視的に内部構成と共に示す斜視図であり、同図(b) はその回転駆動部分のみを取り出して示す平面図、同図(c) はその側面図、同図(d) は同図(a) の用紙１４を上から見た図である。尚、同図(a),(b) には、図４と同一の構成部分には図４と同一の番号を付与して示している。
【００５５】
同図(a),(b) に示すように、塗布・転写ユニット１７の構成は、筐体１９の両端部側に形成される粉体接着剤１５の塗布部１７ａ及び１７ｃと、中央部に位置する回転軸部１７ｂとに３分される。
【００５６】
同図(b) に示すように、回転軸２１ａは、中央部は露出したままの状態であり、軸の一方の端部には塗布ローラ２２が固定して連結され、他方の端部には転写・搬送ローラ２３が固定して連結されている。
【００５７】
これに対して対向して配置された回転軸２１ｂも、中央部は露出したままの状態であるが、軸の一方の端部には転写・搬送ローラ２３が固定して連結され、他方の端部には塗布ローラ２２が固定して連結されている。
【００５８】
このように、いずれの塗布部１７ａ又は１７ｃも、塗布ローラ２２に対して転写・搬送ローラ２３が対向して圧接している。塗布ローラ２２は帯電性に富む柔軟な樹脂部材で構成され、転写・搬送ローラ２３は導電性のある柔軟な樹脂部材で構成されている。
【００５９】
そして、これら複数（本例では２箇所）の塗布部１７ａ及び１７ｃは、一方の塗布ローラ２２と転写・搬送ローラ２３とが対向する相互位置関係が順であるとすると、他方の塗布ローラ２２と転写・搬送ローラ２３とが対向する相互位置関係は逆になっている。
【００６０】
上記二本の回転軸２１ａ及び２１ｂには、それぞれ軸の一端（同図(b) では右側端部）にギア２６及び２７が取り付けられて相互に歯合している。そして、ギア２７には本体装置側の駆動系のギア２８が歯合している。これにより、回転軸２１ａ及び２１ｂは、ギア２６及び２７を介して、本体装置側の駆動系のギア２８により回転駆動される。
【００６１】
筐体１９の、塗布ローラ２２が配置されている部分は、特には図示しないが、他と仕切られて粉体接着剤の収容部を形成している。
その収容部には粉体接着剤が収容され、内部には、例えば、粉体接着剤を攪拌する攪拌部材、その粉体接着剤を塗布ローラに供給する供給ローラ、供給ローラから供給された粉体接着剤の層厚を一定に規制するドクターブレード等が配設されている。
【００６２】
また、転写・搬送ローラ２３には、不図示の高圧電源から転写用バイアス電圧が印加されるようになっている。
本体装置側の駆動系のギア２８により駆動されて、二本の回転軸２１ａ及び２１ｂは図５(a) の矢印ｍ及びｎで示すように相互に圧接しながらそれぞれ回転する。
【００６３】
用紙１４は、図５(a) において、下側より用紙搬送経路２５（図示）に沿って塗布・転写ユニット１７に搬入され、塗布ローラ２２と転写・搬送ローラ２３により挟持されて搬送されながら、塗布ローラ２２の周面に一定の厚さの層で形成されている粉体接着剤を、転写・搬送ローラ２３から印加される転写バイアス電圧の作用により紙面に転写（塗布）され、図４に示した仮定着ユニット１８へと搬送される。
【００６４】
図５(d) は、仮定着ユニット１８へと搬送される用紙１４を、仮定着ユニット１８側から見た図である。同図(d) に示すように、用紙１４は、塗布・転写ユニット１７により、表面の一方の端部の面Ｐ１と裏面の他方の端部の面Ｐ６の表裏両面に粉体接着剤１５を同時に塗布されて、塗布・転写ユニット１７から排出され、仮定着ユニット１８へと搬送される。
【００６５】
仮定着ユニット１８で粉体接着剤を仮定着された後の用紙１４は、図１の場合と同様に、折り装置３でＺ折りされ、圧着装置４で圧着されて、出来上がり圧着はがき収納装置５に収納される。
【００６６】
尚、本例では、一本の回転軸に塗布ローラと転写・搬送ローラを配設したが、塗布ローラの径と転写・搬送ローラの径が異なる場合は、独立した回転軸をローラごとに取り付け、それぞれに駆動伝達部を別配置すればよい。
【００６７】
（実施形態４）
図６(a) は、第４の実施形態における塗布・転写ユニットを透視的に内部構成と共に示す斜視図であり、同図(b) はその内部構成を透視的に示す平面図である。尚、同図(a),(b) には、図５(a),(b) と同一の構成又は機能の部分には、図５(a),(b) と同一の番号を付与して示している。
【００６８】
図６(a) に示すように、本例の塗布・転写ユニット１７´は、図５(a) に示した塗布・転写ユニット１７の筐体１９のＶ字型を成す一方の端部上に粉体接着剤の予備収容部２９を連設した外観を有している。
【００６９】
予備収容部２９の図の手前側側面には、接着剤カートリッジ３１が挿入されるカートリッジ挿入口３２が形成されている。このカートリッジ挿入口３２に接着剤カートリッジ３１を挿入し、その封印を、予備収容部２９内部において解除することにより接着剤カートリッジ３１内の粉体接着剤１５を予備収容部２９内に移動させて、予備収容部２９内に、大量の補充用の粉体接着剤を収容させることができる。
【００７０】
また、本例の塗布・転写ユニット１７´においては、その内部に、図の左側の塗布ローラ部から図の右側の塗布ローラ部に亘って、粉体接着剤１５を搬送する搬送パイプ３３が設置されている。この搬送パイプ３３の内部には、粉体接着剤１５を搬送する搬送コイル３４が組み込まれている。
【００７１】
この搬送コイル３４には、同図(b) に示すように、一方の端部（図６(b) では下方右端部）にコイル駆動軸３５が取り付けられており、このコイル駆動軸３５の端部にはギア３６が固着されている。ギア３６には、本体装置側の駆動系のギア３７が歯合している。
【００７２】
また、図では定かに見えないが、搬送パイプ３３には、予備収容部２９に連通する仕切り部１７ｄ、回転軸２１ａに連結する塗布ローラ２２が配置されている仕切り部１７ｅ、及び回転軸２１ｂに連結する塗布ローラ２２が配置されている仕切り部１７ｆに位置する部分に開口部が形成されている。
【００７３】
その開口部が粉体接着剤内に埋没しているときは、粉体接着剤が開口部を介して搬送パイプ３３内に流入し、開口部が粉体接着剤外に露出しているときは、搬送パイプ３３内の粉体接着剤が開口部を介して搬送パイプ３３外に流出する。
【００７４】
また、回転軸２１ａに連結する塗布ローラ２２が配置されている仕切り部１７ｅ内及び回転軸２１ｂに連結する塗布ローラ２２が配置されている仕切り部１７ｆ内には、それぞれ粉体接着剤の残量を検出する接着剤残量検出センサ（圧電センサ）３８及び３９が配設されている。
【００７５】
上記の構成において、用紙１４への粉体接着剤１５の塗布の処理は、図５の場合と同様である。ただし、本例では、以下に説明するように粉体接着剤１５が筐体１９の内部を移動する。
【００７６】
先ず、接着剤カートリッジ３１から仕切り部１７ｄに粉体接着剤が大量に補充され塗布部１７ａの仕切り部１７ｅにも流入する。
塗布部１７ｃの仕切り部１７ｆ内の粉体接着剤が規定量以下になると、接着剤残量検出センサ３９が残量無しを検出し、その検出信号が本体装置の制御装置に送信される。
【００７７】
この残量無し検出信号を受信して、本体装置の制御装置は、駆動系ギア３７を駆動する。これにより、搬送コイル３４が回転し、搬送パイプ３３内を粉体接着剤が流動し始める。
【００７８】
そして、仕切り部１７ｄ又は１７ｅに補充されている粉体接着剤が搬送パイプ３３の開口部より搬送パイプ３３内に流入し、搬送コイル３４により仕切り部１７ｆへと搬送され、仕切り部１７ｆ内のバイプ開口部から仕切り部１７ｆへと排出される。
【００７９】
この粉体接着剤の仕切り部１７ｄ又は１７ｅから仕切り部１７ｆへの搬送は、仕切り部１７ｆへの接着剤残量検出センサ３９の検出信号値が規定値以上になるまで継続される。これにより、粉体接着剤は、仕切り部１７ｆ内の残量が規定値以上になるまで仕切り部１７ｄ又は１７ｅから仕切り部１７ｆへ搬送される。
【００８０】
尚、図示はしないが、より多くの接着剤残量検出センサの設置及びその配設位置により、より精細な粉体接着剤の残量検知が可能となる。
また、塗布・転写ユニット１７´の交換時期に近い時期では、例えば塗布部１７ａの粉体接着剤残量が、塗布部１７ｃの粉体接着剤残量よりも少なくなる場合もある。
【００８１】
このようなときは、搬送コイル３４を逆回転させて、仕切り部１７ｆに在る粉体接着剤を仕切り部１７ｅに逆搬送するようにすることもできる。
本例によれば、粉体接着剤の補充が一回で両方の塗布部へ補充できるため、ユーザの作業負担が軽減される。また、粉体接着剤が２箇所の塗布部間で融通しあうため、粉体接着剤を有効に使用することができる。
【図面の簡単な説明】
【００８２】
【図１】(a) は第２の実施形態における粉体接着剤塗布装置を含む圧着はがき作成システムの構成原理図であり、同図(b) 〜(d) は、粉体接着剤の塗布手順を示す図である。
【図２】(a) は参考のため折り装置によりＺ折りされた用紙の状態を示す図、(b) はＺ折りされた用紙が矢印Ｈで示すように圧着装置に挿通される状態を示す図である。
【図３】(a),(b) は粉体接着剤の他の塗布方法を示す図、(c) はその用紙のＺ折り方法を示す図である。
【図４】第３の実施形態における粉体接着剤塗布装置の側面図である。
【図５】(a) は第３の実施形態における粉体接着剤塗布装置の塗布・転写ユニットを透視的に内部構成と共に示す斜視図、(b) はその回転駆動部分のみを取り出して示す平面図、(c) はその側面図、(d) は(a) の用紙を上から見た図である。
【図６】(a) は第４の実施形態における塗布・転写ユニットを透視的に内部構成と共に示す斜視図、(b) はその内部構成を透視的に示す平面図である。
【符号の説明】
【００８３】
１      給紙装置
２      粉体接着剤塗布装置
３      折り装置
４      圧着装置
５      出来上がり圧着はがき収納装置
６      用紙搬送装置
７      接着剤塗布部
８      定着器
９      両面印刷反転装置
１０    転写ローラ
１１    粉体接着剤容器
１２    塗布ローラ
１３    搬送ベルト
１４    用紙
１５    粉体接着剤
１６    粉体接着剤塗布装置
１７、１７´  塗布・転写ユニット
１７ａ、１７ｃ  塗布部
１７ｂ  回転軸部
１８    仮定着ユニット
１９    筐体
２１（２１ａ、２１ｂ）  回転軸
２２    塗布ローラ
２３    転写・搬送ローラ
２４    発熱・押圧ローラ対
２５    搬送経路
２６、２７  回転軸ギア
２８    本体装置駆動系ギア
２９    予備収容部
３１    接着剤カートリッジ
３２    カートリッジ挿入口
３３    搬送パイプ
３４    搬送コイル
３５    コイル駆動軸
３６    ギア
３７    本体装置側駆動系ギア
３８、３９  接着剤残量検出センサ（圧電センサ）
【図４】
2007190521.tif 000003
【図１】
2007190521.tif 000004
【図２】
2007190521.tif 000005
【図３】
2007190521.tif 000006
【図５】
2007190521.tif 000007
【図６】
2007190521.tif 000008